(57)【要約】【課題】  蒲鉾状画線を少なくとも備えて、正反射光下で観察した際に視認される潜像画像を形成したものであって、潜像画像の視認性を向上させた潜像形成媒体を提供する。【解決手段】  基材の少なくとも一部に、明暗フリップフロップ性又はカラーフリップフロップ性の少なくともいずれか一方の光学特性を備えた蒲鉾状要素が複数配置されて成る蒲鉾状要素群の上に、正反射光下で蒲鉾状要素群とは異なる色彩を有し、基画像が分割及び／又は圧縮された潜像要素が複数配置されて成る潜像要素群が重なって成り、明暗フリップフロップ性又はカラーフリップフロップ性の少なくともいずれか一方の光学特性を備えた有意情報を現した平らな表面の観察補助要素が、潜像模様に隣接又は近接して形成された潜像形成媒体である。【選択図】  図１
2020183079.tif 000002
【特許請求の範囲】
【請求項１】
基材の少なくとも一部に、正反射光下において観察角度を変化させて観察すると、潜像画像が変化して視認できる潜像模様を備えた潜像形成媒体であって、
前記潜像模様は、
ｉ）明暗フリップフロップ性又はカラーフリップフロップ性の少なくともいずれか一方の光学特性を備えた蒲鉾状要素が一定のピッチで複数配置されて成る蒲鉾状要素群の上に、正反射光下で前記蒲鉾状要素群とは異なる色彩を有し、基画像が分割及び／又は圧縮された潜像要素が複数配置されて成る潜像要素群が重なって成り、又は、
ｉｉ）明暗フリップフロップ性又はカラーフリップフロップ性の少なくともいずれか一方の光学特性を備えた蒲鉾状要素が、異なる方向に万線状に配置された潜像部と背景部から成り、
前記潜像模様に隣接又は近接して、明暗フリップフロップ性又はカラーフリップフロップ性の少なくともいずれか一方の光学特性を備えて有意情報を現す観察補助要素が、平らな表面を有して形成されたことを特徴とする観察補助要素を備えた潜像形成媒体。
【請求項２】
基材の少なくとも一部に、明暗フリップフロップ性又はカラーフリップフロップ性の少なくともいずれか一方の光学特性を備えた反射性領域を備え、前記反射性領域に、正反射光下において観察角度を変化させて観察すると、潜像画像が変化して視認できる潜像模様を備えた潜像形成媒体であって、
前記潜像模様は、
ｉ）前記光学特性を有する前記基材自体の上又は前記基材上に積層された前記光学特性を有する反射層の上に、光透過性を有する蒲鉾状要素が一定のピッチで複数配置されて成る蒲鉾状要素群と、前記正反射光下で前記基材自体、前記反射層又は前記蒲鉾状要素群とは異なる色彩を有し、基画像が分割及び／又は圧縮された潜像要素が複数配置されて成る潜像要素群が重畳して形成され、又は、
ｉｉ）前記光学特性を有する前記基材自体の上又は前記基材上に積層された前記光学特性を有する反射層の上に、光透過性を有する蒲鉾状要素が、異なる方向に万線状に配置された潜像部と背景部から成り、又は、
ｉｉｉ）前記光学特性を有する基材自体の上又は前記基材上に積層された前記光学特性を有する反射層に、基画像が分割及び／又は圧縮された潜像要素が複数配置されて成る潜像要素群が、蒲鉾形状の曲面の少なくとも一部を有して形成され、
前記潜像模様に隣接又は近接して、明暗フリップフロップ性又はカラーフリップフロップ性の少なくともいずれか一方の光学特性を備えて有意情報を現す観察補助要素が、平らな表面を有して形成されたことを特徴とする観察補助要素を備えた潜像形成媒体。
【請求項３】
前記潜像模様によって視認される前記潜像画像と、前記観察補助要素が現す有意情報は、同じ図柄であることを特徴とする請求項１又は２記載の観察補助要素を備えた潜像形成媒体。
【請求項４】
前記潜像模様によって視認される前記潜像画像と、前記観察補助要素が現す前記有意情報によって、合成模様が形成されたことを特徴とする請求項１又は２記載の観察補助要素を備えた潜像形成媒体。
【請求項５】
前記観察補助要素は、拡散反射光下で前記基材と異なる色彩であって、正反射光下で前記基材と等色であることを特徴とする請求項１から３のいずれか１項に記載の観察補助要素を備えた潜像形成媒体。
【発明の詳細な説明】
【技術分野】
【０００１】
本発明は、銀行券、諸証券等、高度な偽造防止が要求される印刷物の分野において、観察角度を連続的に変化させることで、視認される画像が異なる画像に変化又は動的効果を奏する潜像形成媒体に関わるものである。
【背景技術】
【０００２】
銀行券、有価証券等のセキュリティ印刷物には、その価値を保証及び維持するために、偽造防止のための様々な技術が形成されている。これらの偽造防止技術の一つとして、本出願人は、観察角度を連続的に変化させることで潜像画像が動的に視認できる潜像印刷物を出願している（例えば、特許文献１参照）。
【０００３】
特許文献１に記載の印刷物は、高い光沢及び盛り上がりを有する蒲鉾状画線の上に、基画像を分割して圧縮した潜像要素を重ねて形成した構成であり、光が入射した場合に、盛り上がりを有する蒲鉾状画線のうち、入射する光と法線を成す面のみが強く光を反射する現象を利用し、観察角度の変化により、蒲鉾状画線の上に形成した潜像要素のサンプリングされる位置が変化することで、出現する潜像画像が動いて見える効果を備えたものである。なお、特許文献１の印刷物は、同様の効果のあるレンチキュラーやパララックスバリアを用いる技術を薄型化することや、印刷技術のみで簡易に製造することを課題として提案したものである。
【０００４】
また、本出願人は、特許文献１に記載の印刷物に対して、蒲鉾状画線の反射性を高めることで、潜像画像の視認性を向上させた印刷物を提案している（例えば、特許文献２参照）。特許文献２に記載の技術は、樹脂を含む材料で蒲鉾状画線を形成し、その上にパール顔料や光輝性顔料等の光学的変化顔料が配向して成る反射層を形成する構成により、特許文献１に記載の技術よりも、蒲鉾状画線の反射光を高めることができる。
【０００５】
また、本出願人は、特許文献２に記載の技術とは異なる構成により、特許文献１に記載の印刷物における潜像画像の視認性を向上させた印刷物を提案している（例えば、特許文献３参照）。特許文献３に記載の技術は、正反射光下で光を強く反射して明度が高くなるか又は色相が変化する光学特性を有する基材か、基材の上に当該特性を有する反射層を設け、その上に、光透過性の蒲鉾状画線と潜像要素を形成する構成であり、基材自体又は基材の上に設けた反射層により、蒲鉾状画線からの反射光を高めることができる。
【０００６】
また、本出願人は、高い光沢のインキを用いて盛りのある画線を万線状に形成し、万線の方向を部分的に異ならせることで、潜像部と背景部を形成した印刷物を提案している（例えば、特許文献４参照）。特許文献４に記載の印刷物は、光が入射すると方向が異なる万線に応じて反射光の差が生じ、潜像部が強く光を反射した場合には、背景部が弱く光を反射し、観察する方向を変化させると、潜像部と背景部の光の反射が相対的に変化しながら潜像が視認できる技術である。
【先行技術文献】
【特許文献】
【０００７】
【特許文献１】特許第５２００２８４号公報
【特許文献２】特許第６３９４９８４号公報
【特許文献３】特許第６３００１０１号公報
【特許文献４】特許第３７１８７１２号公報
【発明の概要】
【発明が解決しようとする課題】
【０００８】
特許文献１に記載の蒲鉾状画線を形成するインキを用いて、平らな表面の画線を形成した場合には、その画線全体が反射するが、特許文献１に記載の印刷物は、蒲鉾状の画線に入射する光において、法線を成す面のみが強く光を反射するものであることから、光沢の高いインキを用いているにもかかわらず、潜像画像を観察する際には、蒲鉾状画線の表面の一部の反射光しか利用することができないため、潜像画像を明瞭に視認できる角度が限られており、その角度を特定することが比較的困難であった。
【０００９】
また、潜像画像を明瞭に視認できる角度が限られているため、その他の角度においては、潜像画像が薄くぼやけて見え、観察者に対してインパクトが弱く、潜像画像に視線が及ばないという問題があった。
【００１０】
特許文献１に記載の技術の課題を解決するため、特許文献２に記載の技術は、透明な樹脂から成る蒲鉾状の画線の上に、反射層を積層した構成とすることで、蒲鉾状画線の表面の反射光を強くして、潜像画像の視認性を向上させたものであるが、特許文献１に記載の技術と同様に、潜像画像を観察する際には、蒲鉾状画線の表面の一部の反射光しか利用することができないため、やはり、潜像画像を明瞭に視認できる角度が限られており、その角度を特定することが比較的困難であった。
【００１１】
また、特許文献３に記載の技術も同様に、基材に反射層を設けるか、反射性が高い基材を用いることで、潜像画像の視認性を向上させているが、特許文献１及び特許文献２に記載の技術と同様に、潜像画像を観察する際には、蒲鉾状画線の表面の一部から得られる反射光しか利用することができない。すなわち、特許文献１から特許文献３までに記載の技術において、潜像画像を観察する際には、蒲鉾状画線の表面の一部の反射光しか利用することができないものであり、蒲鉾状画線を用いて形成した潜像画像の視認性を向上させることが望まれていた。
【００１２】
また、特許文献４に記載の技術は、方向が異なる万線によって潜像部と背景部の光沢の差が得られるが、特許文献１から３までに記載の技術と同様に、潜像画像を観察する際には、蒲鉾状画線の表面の一部の反射光しか利用することができないものであり、特許文献４に記載の技術もまた潜像画像の視認性を向上させることが望まれていた。
【００１３】
本発明は、前述した課題の解決を目的とするものであり、正反射光下においてインパクトのある模様を配置することで、潜像画像が若干視認性の劣る角度では観察者の視線を向けさせつつ、潜像画像が明瞭に視認できる角度の目安となる観察補助要素を備えた潜像形成媒体を提供する。
【課題を解決するための手段】
【００１４】
本発明の観察補助要素を備えた潜像形成媒体は、基材の少なくとも一部に、正反射光下において観察角度を変化させて観察すると、潜像画像が変化して視認できる潜像模様を備えた潜像形成媒体であって、潜像模様は、ｉ）明暗フリップフロップ性又はカラーフリップフロップ性の少なくともいずれか一方の光学特性を備えた蒲鉾状要素が一定のピッチで複数配置されて成る蒲鉾状要素群の上に、正反射光下で蒲鉾状要素群とは異なる色彩を有し、基画像が分割及び／又は圧縮された潜像要素が複数配置されて成る潜像要素群が重なって成り、又は、ｉｉ）明暗フリップフロップ性又はカラーフリップフロップ性の少なくともいずれか一方の光学特性を備えた蒲鉾状要素が、異なる方向に万線状に配置された潜像部と背景部から成り、潜像模様に隣接又は近接して、明暗フリップフロップ性又はカラーフリップフロップ性の少なくともいずれか一方の光学特性を備えて有意情報を現す観察補助要素が、平らな表面を有して形成されたことを特徴とする。
【００１５】
本発明の観察補助要素を備えた潜像形成媒体は、基材の少なくとも一部に、明暗フリップフロップ性又はカラーフリップフロップ性の少なくともいずれか一方の光学特性を備えた反射性領域を備え、反射性領域に、正反射光下において観察角度を変化させて観察すると、潜像画像が変化して視認できる潜像模様を備えた潜像形成媒体であって、潜像模様は、ｉ）光学特性を有する基材自体の上又は基材上に積層された光学特性を有する反射層の上に、光透過性を有する蒲鉾状要素が一定のピッチで複数配置されて成る蒲鉾状要素群と、正反射光下で基材自体、反射層又は蒲鉾状要素群とは異なる色彩を有し、基画像が分割及び／又は圧縮された潜像要素が複数配置されて成る潜像要素群が重畳して形成され、又は、ｉｉ）光学特性を有する基材自体の上又は基材上に積層された光学特性を有する反射層の上に、光透過性を有する蒲鉾状要素が、異なる方向に万線状に配置された潜像部と背景部から成り、又は、ｉｉｉ）光学特性を有する基材自体又は基材上に積層された光学特性を有する反射層に、基画像が分割及び／又は圧縮された潜像要素が複数配置されて成る潜像要素群が、蒲鉾形状の曲面の少なくとも一部を有して形成され、潜像模様に隣接又は近接して、明暗フリップフロップ性又はカラーフリップフロップ性の少なくともいずれか一方の光学特性を備えて有意情報を現す観察補助要素が、平らな表面を有して形成されたことを特徴とする。
【００１６】
また、本発明の観察補助要素を備えた潜像形成媒体は、潜像模様によって視認される潜像画像と、観察補助要素が現す有意情報は、同じ図柄であることを特徴とする。
【００１７】
また、本発明の観察補助要素を備えた潜像形成媒体は、潜像模様によって視認される潜像画像と、観察補助要素が現す有意情報によって、合成模様が形成されたことを特徴とする。
【００１８】
また、本発明の観察補助要素を備えた潜像形成媒体は、観察補助要素は、拡散反射光下で基材と異なる色彩であって、正反射光下で基材と等色であることを特徴とする。
【発明の効果】
【００１９】
本発明の潜像画像形成体は、正反射光下において視認性の高い観察補助要素に観察者の視線が向けられるため、隣接又は近接して配置された潜像画像の視認性が劣っている角度においても、その様子を感じさせず、併せて、観察補助要素が潜像画像を目視するための目安となるため、容易に潜像画像を視認することができる。
【００２０】
本発明の潜像画像形成体は、正反射光下で潜像画像が視認できる潜像模様に隣接又は近接して、有意情報を現した観察補助要素を備えることで、潜像画像の視認性を向上させることができる。
【００２１】
また、本発明の潜像画像形成体は、正反射光下で潜像画像が視認できる潜像模様と観察補助要素によって、合成模様を形成することで、潜像画像の視認性を向上させることができる。
【図面の簡単な説明】
【００２２】
【図１】本発明の潜像形成媒体の概要を示す図である。
【図２】潜像形成媒体に形成される潜像模様の構成を示す断面図である。
【図３】蒲鉾状要素群の構成を示す図である。
【図４】潜像要素群の構成を示す図である。
【図５】潜像形成媒体を拡散反射光下と正反射光下で観察した場合に視認できる画像を示す図である。
【図６】観察補助要素の構成を示す図である。
【図７】観察補助要素と潜像模様によって一つの有意情報を形成した構成を示す図である。
【図８】観察補助要素、潜像要素群及び蒲鉾状要素群の構成を示す図である。
【図９】観察補助要素と潜像模様によって一つの有意情報を形成した構成の効果を示す図である。
【図１０】潜像要素群の別の構成を示す図である。
【図１１】正反射光下の観察で潜像画像が変化する効果について説明する図である。
【図１２】潜像要素群の別の構成を示す図である。
【図１３】正反射光下の観察でモアレによる潜像画像が移動して視認できる効果について説明する図である。
【図１４】方向が異なる蒲鉾状要素によって形成された潜像模様の構成を示す図である。
【図１５】方向が異なる蒲鉾状要素によって形成された潜像模様を正反射光下で観察した場合の効果について説明する図である。
【図１６】蒲鉾形状の画線又は画素の上に反射層を備えて成る蒲鉾状要素の構成を示す図である。
【図１７】反射性領域を備えた基材の上に潜像模様が形成された構成を示す図である。
【図１８】反射性領域を備えた基材の上に潜像模様が形成された別の構成を示す図である。
【図１９】蒲鉾形状の表面を有する潜像要素が形成された構成を示す図である。
【図２０】実施例１の潜像形成媒体の構成を示す図である。
【図２１】実施例２の潜像形成媒体の構成を示す図である。
【図２２】実施例２の観察補助要素及び潜像要素群の構成を示す図である。
【発明を実施するための形態】
【００２３】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００２４】
図１は、本発明の観察補助要素を備えた潜像形成媒体（以下、「潜像形成媒体（１）」という。）の概要を示す図である。図１は、潜像形成媒体（１）の平面図である。図１に示すように、潜像形成媒体（１）は、基材（２）の少なくとも一部に、潜像形成領域（３）を有し、潜像形成領域（３）には、正反射光下で観察した際に視認される潜像画像（１５）が形成された潜像模様（１０）と、潜像画像（１５）の観察を補助するための観察補助要素（３０）を備える。
【００２５】
本発明の潜像形成媒体（１）が備える潜像模様（１０）の形態は、蒲鉾状要素（１２）を備えて潜像画像（１５）を形成する特許文献１から特許文献４に記載の技術と同様である。はじめに、特許文献１に記載の技術として、基材（２）に蒲鉾状要素群（１１）と潜像要素群（１３）によって潜像模様（１０）が形成された構成について説明する。
【００２６】
図２は、図１のＡ−Ａ’線における断面図である。潜像模様（１０）は、図２に示すように、基材（２）の上に、蒲鉾状要素群（１１）が形成され、その上に潜像要素群（１３）が積層されて成る。基材（２）は、蒲鉾状要素群（１１）と潜像要素群（１３）が形成可能な平面を備えていればよく、上質紙、コート紙、プラスティック等、材質は特に限定されない。その他、基材（２）の色彩や大きさについても特に制限はない。また、蒲鉾状要素群（１１）と潜像要素群（１３）は、正反射光下の観察時に色差（明暗差または、色相差）が発現する組合せであれば、拡散反射光下の色彩に限定はなく、透明であっても、着色されていてもよい。以下、蒲鉾状要素群（１１）と潜像要素群（１３）の詳細について説明する。
【００２７】
（蒲鉾状要素群）
図３は、図２に示す蒲鉾状要素群（１１）の詳細な構成を示す図である。図３（ａ）は、蒲鉾状要素群（１１）の平面図であり、図３（ｂ）は、図３（ａ）のＢ−Ｂ’線における断面図である。蒲鉾状要素群（１１）は、図３（ａ）の拡大図及び図３（ｂ）に示すように、所定の幅（Ｗ１）を有する画線であり、断面が蒲鉾形状で盛り上がりを有した蒲鉾状要素（１２）が、第１のピッチ（Ｐ１）で、第一の方向（図中Ｓ１方向）に万線状に配置されて成る。
【００２８】
出現する潜像画像（１５）に一定の視認性を確保するために、図３（ｂ）に示す蒲鉾状要素（１２）の盛り上がりの高さ（Ｈ１）は、３μｍ以上が必要である。そのため、スクリーン印刷、凹版印刷、グラビア印刷及びＵＶ−ＩＪＰで形成することが望ましいが、フレキソ印刷、凸版印刷等であっても、この程度の画線の盛り上がりの高さを形成することは可能である。また、盛り上がりの高さの上限に関しては、特に制限はないが、潜像形成媒体（１）を大量に積載した場合の安定性や耐摩耗性及び流通適性等を考慮すると、１ｍｍ以下である。また、蒲鉾状要素（１２）の幅（Ｗ１）は、５０μmから１０００μmであり、より好ましくは、１００μmから６００μmである。５０μm以下では、蒲鉾状要素（１２）の盛り上がりの高さ（Ｈ１）を３μm以上とすることが難しく、１０００μm以上では、画線が蒲鉾状ではなく台形に近づくためである。
【００２９】
また、本発明において、蒲鉾状要素（１２）は、明暗フリップフロップ性とカラーフリップフロップ性のうち、少なくともいずれか一方を備える必要があり、明暗フリップフロップ性とは、正反射した場合に明度が上昇する特性を指し、カラーフリップフロップ性とは、色相が変化する特性を指す。すなわち、蒲鉾状要素（１２）は、光が入射した場合に、明度や色相が変化することで、色彩が大きく変化する特性を有する必要がある。色彩の変化が大きければ大きいほど、出現する潜像画像（１５）の視認性は高くなる。
【００３０】
盛り上がりを有する蒲鉾状要素（１２）に明暗フリップフロップ性を付与する方法の一例としては、高光沢なインキ樹脂を用いたり、インキ中に金属顔料を混合したインキを用いて印刷することで容易に実現することができる。
【００３１】
また、カラーフリップフロップ性を付与する方法の一例としては、パールインキや液晶インキ、ＯＶＩ、ＣＳＩ（Ｃｏｌｏｒ Ｓｈｉｆｔｉｎｇ Ｉｎｋ）等のインキを用いて印刷することで容易に実現することができる。多くのインキは物体色を有するが、虹彩色パールインキは無色透明である。例えば、赤色の虹彩色パールインキは、拡散反射光下では無色透明だが、正反射光下では赤色の干渉色を発する。このように、「カラーフリップフロップ性」を備えたインキは、正反射光下で色相が変化する。
【００３２】
（潜像要素群）  
図４は、潜像要素群（１３）の詳細な構成を示す図である。図４（ｂ）に示す潜像要素群（１３）は、図４（ａ）に示す特定の有意情報（ここでは、「花冠」の図柄）を表す基画像（２０）に、特定の高さと幅の大きさのフレーム（図示せず）を当てはめることで基画像（２０）を分割し、分割された基画像（２０）をそれぞれ取り出して、第一の方向（図中Ｓ１方向）に、特定の圧縮率で特定の幅（Ｗ２）に圧縮した潜像要素（１４）の集合から成る。また、図４（ｂ）の拡大図に示すように、隣り合う潜像要素（１４）同士は、基画像（２０）に対して、当てはめたフレームを、互いに１ピッチ（Ｐ１）だけ第一の方向（Ｓ１）にずらして取り出したものを圧縮するため、わずかながら画像が異なる。各潜像要素（１４）は、蒲鉾状要素（１２）を配置したピッチ（Ｐ１）と等しいピッチ（Ｐ２）で第一の方向（図中Ｓ１方向）に連続して配置することで、潜像要素群（１３）が形成されて成る。より具体的な作製方法は、特許５２００２８４号公報に記載の方法を用いればよい。
【００３３】
潜像要素群（１３）を構成するそれぞれの潜像要素（１４）の正反射光下における色彩は、正反射光下における蒲鉾状要素（１２）の色彩と異なる色彩である必要がある。仮に、正反射光下における蒲鉾状要素（１２）の色彩が淡い黄色であったとすると、潜像要素（１４）の正反射光下における色彩は、淡い黄色以外の色彩である必要がある。青、赤、緑等の全く別の色相であってもよいし、濃い黄色や、より淡い黄色のように色相は同じで明度が異なる色彩であってもよい。これは、正反射光下で潜像画像（１５）を可視化させるための必須事項である。
【００３４】
潜像画像（１５）の視認性を高めるためには、蒲鉾状要素（１２）と比較して潜像要素（１４）の反射率が低いことが望ましい。このため、潜像要素（１４）を印刷によって形成する場合には、蒲鉾状要素（１２）より反射率の低いマットなインキで形成することが望ましい。これらのインキにチタンのような光遮断性の高い機能性材料を配合すると、より高い効果を得ることができる。また、潜像要素（１４）は、正反射光下で蒲鉾状要素（１２）とは異なる色相の干渉色を呈する（カラーフリップフロップ性を有する）構成であってもよい。この場合、出現する潜像画像（１５）に豊かな色彩を付与することができる。
【００３５】
蒲鉾状要素（１２）上の潜像要素（１４）は、拡散反射光下の観察条件において不可視であることが要求されることから、物体色を有さない透明や半透明であることが望ましい。なお、蒲鉾状要素（１２）と潜像要素（１４）が特定の物体色を有し、かつ、同じ色彩を有する場合においても、潜像要素（１４）が蒲鉾状要素（１２）によってカモフラージュされて目視上不可視の構成とすることが可能である。
【００３６】
本発明における潜像要素（１４）は、特に盛り上がりは必須ではなく、平坦な構造でよい。すなわち、オフセット印刷や凸版印刷、フレキソ印刷等で形成することができる。
【００３７】
また、潜像要素（１４）は、インキによって形成するだけでなく、蒲鉾状要素（１２）を切削することにより形成することもできる。このような切削は、レーザー加工機を用いることで容易に実施することができる。レーザーが照射された蒲鉾状要素（１２）は、表面の平滑性が失われ、蒲鉾状要素（１２）から反射される光の多くが、表面で散乱されるため、蒲鉾状要素（１２）の反射光が大きく低下する。そのため、本発明の潜像要素（１４）に必要とする特性を付与することができる。このように、レーザー加工機を用いる場合は、一枚一枚の印刷物毎に異なる情報を容易に付与できるという特徴がある。また、潜像要素（１４）を可変情報として付与する別の方法としては、透明トナーや透明インキを使用できるプリンタを用いる方法がある。以上が潜像要素群（１３）の説明である。
【００３８】
（効果）  
以上の構成で成る潜像模様（１０）を備えた潜像形成媒体（１）を、図５（ａ）に示すように、拡散反射光下において観察すると、潜像要素群（１３）は、不可視か又は潜像要素群（１３）がそのまま見えるだけで、潜像画像（１５）である「花冠」の図柄を視認することはできない。一方、図５（ｂ）に示すように、正反射光下で観察すると、「花冠」の図柄が潜像画像（１５）として視認され、更に、図５（ｃ）に示すように、観察角度を変化させると潜像画像（１５）が動いて視認できる。
【００３９】
なお、本明細書において正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。例えば、虹彩色パールインキを例とすると、拡散反射の状態では無色透明であるが、正反射の状態では特定の干渉色を発する。また、正反射光下で観察するとは、印刷物に入射した光の角度と略等しい反射角度に視点をおいて観察する状態のことであり、拡散反射光下で観察するとは、印刷物に入射した光の角度と大きく異なる角度で観察する状態のことである。
【００４０】
以上の効果が生じる原理について説明する。まず、拡散反射の状態では蒲鉾状要素群（１１）から強い正反射光を発することがないため、蒲鉾状要素群（１１）と潜像要素群（１３）の間に色差が生じることがない。そのため拡散反射光下では潜像要素群（１３）は完全に不可視か、着色された潜像要素群（１３）がそのまま視認される。
【００４１】
一方、正反射光下においては蒲鉾状要素群（１１）の有する光学特性である明暗フリップフロップ性あるいはカラーフリップフロップ性によって色彩が大きく変化するために、潜像要素群（１３）との間に大きな色差が生じ、潜像要素群（１３）が可視化される。ただし、蒲鉾状要素（１２）は盛り上がりを有しているため、蒲鉾状要素群（１１）全体が一斉に光を反射することはなく、潜像要素群（１３）全体が一度に可視化されることはない。正反射光下においては、蒲鉾状要素（１２）の画線表面のうち、入射した光と直交する画線表面だけが強く光を反射し、その領域だけ蒲鉾状要素（１２）と潜像要素（１４）の間に大きな色差が生じる。結果として入射した光と直交した蒲鉾状要素（１２）の画線表面の上に重ねられた潜像要素（１４）の画像情報のみがサンプリングされ、可視化されることとなる。
【００４２】
以上に説明したように、本発明の潜像模様（１０）によって視認される潜像画像（１５）は、蒲鉾状要素（１２）の表面のうち、入射した光と直交する表面のみサンプリングされることから、潜像画像（１５）の視認性は、蒲鉾状要素（１２）の光学特性か、潜像要素（１４）の光遮断性に影響されるものであった。そこで、本発明は、潜像模様（１０）の周囲に隣接又は近接して、潜像画像（１５）の観察を補助するための観察補助要素（３０）を備えたもので、続いて観察補助要素（３０）について説明する。
【００４３】
（観察補助要素）
図６（ａ）は、図１に示す潜像形成媒体（１）の潜像形成領域（３）を示す図であり、図６（ｂ）は、図６（ａ）のＣ−Ｃ’線における断面図である。本発明において、観察補助要素（３０）は、有意情報を現して形成される。図６（ａ）は、観察補助要素（３０）が、潜像画像（１５）の図柄と同じ「花冠」の有意情報を現した例であるが、観察補助要素（３０）が現す有意情報はこれに限定されるものではなく、他の図柄の他、文字、図形、記号等であってもよい。また、観察補助要素（３０）が現す有意情報は、彩紋であってもよい。
【００４４】
観察補助要素（３０）は、明暗フリップフロップ性又はカラーフリップフロップ性を備える必要があり、これらの特性については、蒲鉾状要素（１２）が備える特性と同様である。したがって、蒲鉾状要素（１２）を形成するインキと同じインキを用いて、観察補助要素（３０）を形成することができる。また、蒲鉾状要素（１２）と異なる特性のインキを用いて観察補助要素（３０）を形成してもよいが、同じインキを用いる方が、効率的に作製できることから望ましい。また、観察補助要素（３０）は、明暗フリップフロップ性を備える金属箔や、カラーフリップフロップ性を備える干渉フィルム等を基材（２）に貼り付けることで形成してもよい。
【００４５】
観察補助要素（３０）は、図６（ｂ）の断面図に示すように平らな表面を備える。これにより、観察補助要素（３０）を正反射光下で観察すると、その表面全体が正反射して、明暗が上昇するか又は色相が変化する。正反射光下において、観察補助要素（３０）の明度が上昇する効果又は色相が変化する効果は、一部の表面からの正反射光しか得られない蒲鉾状要素（１２）よりも高いことから、潜像形成媒体（１）を観察する人の注目を集めることができる。また、観察補助要素（３０）自体が有意情報を現すことで、その情報を認識させるための観察時間を稼ぐことができる。実際には、観察補助要素（３０）と蒲鉾状要素（１２）からの正反射光は生じているため、本発明の潜像形成媒体（１）は、潜像形成領域（３）に形成した観察補助要素（３０）によって、観察者の注意を引き付けるのと、ほぼ同時に潜像画像（１５）が視認できることから、潜像画像（１５）の観察をスムーズに、かつ、確実に行うことができる。
【００４６】
本発明において、観察補助要素（３０）の大きさは、正反射光下での光学的な変化を視認するために、少なくとも、０．３６ｍｍ２以上の大きさとする必要があり、１ｍｍ２以上であることが望ましい。また、観察補助要素（３０）は、図６に示すように、基材（２）を隙間なく覆う必要はなく、複数の画線や網点の集合によって、一つの観察補助要素を形成してもよい。この場合、一つ一つの画線や網点の大きさを０．３６ｍｍ２以上とする必要がある。
【００４７】
本発明において、観察補助要素（３０）の表面が平らとは、図６（ｂ）に示すように観察補助要素（３０）の厚さ（Ｈ２）が、その表面において一定の厚さであることであり、前述した金属箔やフィルムを用いて観察補助要素（３０）を形成する場合は、そのまま基材（２）に貼り付けることで、平らな表面を備える観察補助要素（３０）を形成することができる。
【００４８】
また、前述したインキを用いて観察補助要素（３０）を形成する場合は、一定の膜厚の印刷層を形成する必要があり、観察補助要素（３０）自体又は観察補助要素（３０）を構成する画線や網点を面積率１００％のベタ印刷することで、平らな表面を形成することができる。印刷方式については、特に限定されるものではなく、オフセット印刷、凸版印刷、フレキソ印刷、スクリーン印刷及び凹版印刷等を用いることができる。インキによって観察補助要素（３０）を形成する場合に、狭義には、インキに含まれる顔料の配向状態や、基材（２）自体の凹凸によって、膜厚の差が部分的に生じるが、これらの影響は、蒲鉾状要素（１２）も同様であって、本発明において、観察補助要素（３０）の表面が平らとは、図３（ｂ）に示す蒲鉾状要素（１２）の断面形状に対して、図６（ｂ）に示す観察補助要素（３０）の断面の厚さ（Ｈ２）が一定のことである。なお、観察補助要素（３０）の表面を平らにするために、観察補助要素（３０）を印刷した後、プレス加工してもよく、あらかじめ基材（２）の表面をプレス加工してもよく、更に基材（２）に塗工層を設けてもよい。
【００４９】
また、正反射光下で潜像画像（１５）を視認する際に、観察補助要素（３０）の光学的な変化が同時に視認できるため、観察補助要素（３０）は、潜像模様（１０）の周囲に隣接又は近接して形成される。なお、潜像模様（１０）に近接した周囲とは、前述した正反射光下で潜像画像（１５）を視認する際に、観察補助要素（３０）の光学的な変化が同時に視認できる範囲であり、蒲鉾状要素群（１１）の外周から観察補助要素（３０）の外周までの距離が２０ｍｍ以内であることが望ましい。
【００５０】
図６（ａ）では、潜像形成領域（３）に一つの観察補助要素（３０）を形成した例であるが、複数の観察補助要素（３０）を設けてもよい。また、図６（ａ）では、潜像模様（１０）と観察補助要素（３０）が離れて形成されているが、隣接して設けてもよい。
【００５１】
また、観察補助要素（３０）は、拡散反射光下で基材（２）と異なる色彩の状態から、正反射光下で基材（２）と等色になることで、有意情報が消失する構成としてもよい。この場合、正反射光下で色相が変化した際の色彩が、基材（２）の色彩と同じになるカラーフリップフロップ性を備えたインキを用いて、観察補助要素（３０）を形成すればよい。例えば、着色顔料と、拡散反射光下では透明であり、正反射光下で着色顔料の色相と異なる色相に変化する虹彩色パール顔料を含むインキを用いると、拡散反射光下では、着色顔料の色彩が視認され、正反射光下では、パール顔料の正反射光下の色彩と着色顔料の色彩が混色した色彩が視認されるので、それに対応した基材（２）を用いれば、正反射光下で有意情報が消失する効果が得られる。
【００５２】
以上が、本発明の潜像形成媒体（１）における、観察補助要素（３０）と潜像模様（１０）の構成と正反射光下での効果である。本発明の潜像要素群（１３）の構成については、図１から図６に示す構成に限定されるものではなく、潜像形成媒体（１）の構成についても、特許文献２及び特許文献３に記載の構成としてもよいが、その詳細については、後述する。
【００５３】
続いて、本発明の特徴である観察補助要素（３０）の異なる形態について、図７を用いて説明する。図７に示す潜像形成媒体（１）は、潜像形成領域（３）に形成された観察補助要素（３０）が現す有意情報と、潜像模様（１０）が現す潜像画像（１５）によって、正反射光下で視認できる一つの合成模様を構成する形態である。  
【００５４】
図７では、正反射光下で視認できる合成模様が「六つの花弁と一つの花冠」の図柄とした例であり、観察補助要素（３０）は、その一部である「六つの花弁」の図柄を現し、潜像模様（１０）は、残りの一部の「花冠」の図柄を現す構成である。この場合、潜像形成領域（３）に形成される蒲鉾状要素群（１１）、潜像要素群（１３）及び観察補助要素（３０）は、図８（ａ）から図８（ｃ）までに示す構成となる。
【００５５】
図８（ａ）に示す観察補助要素（３０）は、前述のように、明暗フリップフロップ性又はカラーフリップフロップ性を備え、かつ、平らな表面を備えた構成であり、有意情報の図柄の一部「六つの花弁」を現した構成である。観察補助要素（３０）は、明暗フリップフロップ性又はカラーフリップフロップ性を備えるインキを用いて形成してもよく、金属箔やフィルム等を貼付けて形成してもよい。
【００５６】
図８（ｂ）に示す潜像要素群（１３）の構成は、前述のとおりであり、ここでは、潜像画像（１５）として、「花冠」の図柄を現すことから、「花冠」の図柄を基画像（図示せず）とし、前述した基画像（２０）から潜像要素（１４）を形成する例と、同様な方法によって形成された複数の潜像要素（１４）から成る。
【００５７】
図８（ｃ）に示す蒲鉾状要素群（１１）の構成は、前述のとおりであり、潜像要素群（１３）が形成される領域に対応して、蒲鉾状要素群（１１）が形成される。ここでは、潜像要素群（１３）が形成される領域（Ａ１）と蒲鉾状要素群（１１）が形成される領域（Ａ  ２）が同じ例を示しているが、図１に示す構成と同様に、蒲鉾状要素群（１１）が形成される領域（Ａ２）は、潜像要素群（１３）が形成される領域（Ａ１）より大きくてもよい。ただし、一つの合成模様を形成するために、観察補助要素（３０）とは重ならない構成にする必要がある。
【００５８】
（効果）
図７に示す構成の潜像形成媒体（１）を、正反射光下で観察すると、図９（ａ）に示すように、観察補助要素（３０）の明度が上昇するか又は色相が変化して、「六つの花弁」の図柄を視認できると同時に、潜像模様（１０）において、「花冠」の図柄が潜像画像（１５）として視認でき、観察補助要素（３０）と、潜像画像（１５）が合成された「六つの花弁と一つの花冠」の図柄を視認することができる。また、図９（ａ）とは異なる観察角度の正反射光下で観察すると、観察補助要素（３０）は、そのまま、正反射光による明度の上昇か又は色相が変化している中で、潜像模様（１０）においては、潜像要素のサンプリングされる位置が変化することで、潜像画像（１５）が動いて視認される。このように、図７に示す構成の潜像形成媒体（１）は、観察補助要素（３０）が平らな表面を備えることで、潜像形成媒体（１）を観察する人の注目を集めると同時に、正反射光下の角度変化に伴って視認される潜像画像（１５）と合わせて有意情報として認識できることから、高い認証性を得ることができる。
【００５９】
続いて、本発明の潜像要素群（１３）の他の構成について説明する。本発明において潜像要素群（１３）の構成は、図４で説明した特許文献１に記載されている構成の他に、特許第４６８２２８３号公報に記載の基画像を分割した構成や、特許第４８４４８９４号公報や特許第５１３１７８９号公報に記載の技術のようなモアレが拡大されて視認できる「モアレ拡大現象（Ｍｏｉｒｅ  Ｍａｇｎｉｆｉｃａｔｉｏｎ）」を利用する構成としてもよく、これらについて以下に具体的に説明する。
【００６０】
図１０（ａ）に示す潜像要素群（１３）は、特許第４６８２２８３号公報に記載の方法により作製される例であり、図１０（ｂ）に示す第１の潜像要素群（１３Ａ）と、図１０（ｃ）に示す第２の潜像要素群（１３Ｂ）を備える。図１０（ｂ）に示すように、第１の潜像要素群（１３Ａ）は、一定の画線幅（Ｗ２）の第１の潜像要素（１４Ａ）が第１の方向（Ｓ１）に、蒲鉾状要素（１２）を配置したピッチ（Ｐ１）と等しいピッチ（Ｐ２）で複数配置されることでアルファベットの「Ａ」を現して成る。すなわち、図１０において、第１の潜像要素（１４Ａ）の各々は、潜像画像（１５）の基となる基画像「Ａ」（図示せず）を分割した画線に対応したものとなっている。また、図１０（ｃ）に示すように、第２の潜像要素群（１３Ｂ）は、一定の画線幅（Ｗ３）の第２の潜像要素（１４Ｂ）が第１の方向（Ｓ１）に、第１の潜像要素（１４Ａ）の配置と同じピッチ（Ｐ２）で複数配置されることでアルファベットの「Ｂ」の文字を現して成る。すなわち、図１０において、第２の潜像要素（１４Ｂ）の各々は、潜像画像（１５）の基となる基画像「Ｂ」（図示せず）を分割した画線に対応したものとなっている。なお、第１の潜像要素の画線幅（Ｗ２）と第２の潜像要素の画線幅（Ｗ３）は、同じであってもよいし、異なってもよい。
【００６１】
第１の潜像要素群（１３Ａ）と第２の潜像要素群（１３Ｂ）とは、図１０（ａ）の拡大図に示すように、第１の方向（Ｓ１）に位相をずらして配置されることで、それぞれの潜像要素（１４Ａ、１４Ｂ）が重なり合うことなく配置される。なお、以降の説明では、具体的に個別の潜像要素（１４Ａ、１４Ｂ）を指すのではなく、潜像要素全般を指す場合には潜像要素（１４）として説明する。
【００６２】
（効果）
以上の構成で成る潜像要素群（１３）が蒲鉾状要素群（１１）の上に形成された潜像模様（１０）の効果は、特許第４６８２２８３号公報と同様であり、図１１（ａ）に示すように、正反射光下の特定の観察角度によって第１の潜像要素群（１３Ａ）が現すアルファベットの「Ａ」の文字が潜像画像（１５−１）として出現する。また、図１１（ｂ）に示すように、「Ａ」の文字が視認できる角度とは異なる特定の観察角度では、第２の潜像要素群（１３Ｂ）が現すアルファベットの「Ｂ」の文字が潜像画像（１５−２）として出現する。
【００６３】
図１０で示した潜像要素群（１３）は、二つの潜像要素群（１３Ａ、１３Ｂ）によって、二つの基画像が潜像画像（１５−１、１５−２）として視認されるが、潜像画像（１５）の数は、二つに限定されるものではなく、二つより多いｎ個（ｎは３以上の整数）の潜像画像（１５）を付与することができる。すなわち、ｎ個の潜像画像（１５）を付与するのであれば、第１の潜像要素群（１３Ａ）を第１の潜像要素（１４Ａ）で構成し、第２の潜像要素群（１３Ｂ）を第２の潜像要素（１４Ｂ）で構成し、第ｎの潜像要素群を第ｎの潜像要素で構成し、それぞれの潜像要素が重ならないようにして蒲鉾状要素（１２）の上に配置すればよい。また、蒲鉾状要素（１２）や潜像要素（１４）は、画線に限定されるものではなく、画素であってもよい。これらの要素の具体的な構成については、特許第４６８２２８３号公報や特許第４６６０７７５号公報等に記載の構成を用いることができる。
【００６４】
続いて、図１０に示した潜像要素群（１３）とは異なる別の画線構成を利用し、モアレ拡大現象（Ｍｏｉｒｅ  Ｍａｇｎｉｆｉｃａｔｉｏｎ）と呼ばれる現象を利用して、記号や文字、数字等の有意情報自体をモアレ化して出現させる形態であって、正反射光下で出現したモアレが動いて見える動画効果が生じる構成について、図１２を用いて説明する。
【００６５】
図１２に示す潜像要素群（１３）は、特許第４８４４８９４号公報や特許第５１３１７８９号公報に記載の方法により作製される例であり、図１２（ｂ）に示す潜像要素群（１３）は、図１２（ａ）に示すアルファベットの「Ｊ」の文字を基画像（２０）として、基画像（２０）を第一の方向（図中Ｓ１方向）に圧縮して一定の幅（Ｗ２）とした複数の潜像要素（１４）から成る。この形態において潜像要素（１４）は、蒲鉾状要素（１２）を配置するピッチ（Ｐ１）とは異なるピッチ（Ｐ２）で、第一の方向（図中Ｓ１方向）に連続して配置する。
【００６６】
この形態において、正反射光下で出現する模様は、モアレ模様であることから、第一の方向（図中Ｓ１方向）に配置される潜像要素（１４）のピッチ（Ｐ２）と蒲鉾状要素（１２）のピッチ（Ｐ１）は、互いにピッチが異なる必要がある。その値は、一方の値が、もう一方の値で割り切れる数値であってはならない。一方の値が、もう一方の値の８０％から１２０％（１００％を除く）程度の数値である場合、視認性が高く、動画効果も高いモアレ模様が出現する。以上が、潜像要素群（１３）の画線構成である。
【００６７】
以上の構成で成る潜像要素群（１３）が蒲鉾状要素群（１１）の上に形成された潜像模様（１０）の効果は、特許第４８４４８９４号公報と同様であり、図１３（ａ）に示すように、正反射光下の特定の観察角度で観察した場合、ある特定の観察角度において潜像要素（１４）と蒲鉾状要素（１２）の干渉によって生じたモアレ模様が潜像画像（１５）として出現する。また、図１３（ｂ）に示すように、観察角度を変化させることで、出現したモアレ模様が第一の方向に移動して見える、いわゆる動画効果が生じる。互いにピッチが異なる万線や画素の干渉によってモアレが生じる原理については公知であり、また、サンプリング位置が変化した場合に、モアレ模様が動いて見える原理については、特許第４８４４８９４号公報、特許第５１３１７８９号公報等に記載の原理と同じであるため説明を省略する。
【００６８】
以上が、本発明の潜像模様（１０）の潜像要素群（１３）にモアレ拡大現象を利用した画線構成を適用することで、正反射光下で出現した基画像（２０）が動いて見える形態の説明である。なお、このモアレ拡大現象を利用した画線構成は、図１２に記載の構成に限定されるものではなく、特許第４８４４８９４号公報、特許第５１３１７８９号公報等に記載のその他の画線構成を用いてもよい。
【００６９】
続いて、特許文献４に記載の盛りのある画線によって  潜像形成領域（３）に潜像模様（１０）が形成される構成について、図１４を用いて説明する。図１４（ａ）に示す潜像模様（１０）は、万線状に配置される蒲鉾状要素（１２）の方向が異なることで、潜像部（１１Ａ）と背景部（１１Ｂ）に区分けされた蒲鉾状要素群（１１）から成る。ここでは、潜像部（１１Ａ）が現す図柄は、「星型」とした例について説明するが、潜像部（１１Ａ）が現す図柄は、これに限定されるものではない。
【００７０】
図１４（ｂ）は、図１４（ａ）の潜像部（１１Ａ）における一部拡大図であり、図１４（ｃ）は、図１４（ａ）の背景部（１１Ｂ）における一部拡大図である。潜像部（１１Ａ）には、図１４（ｂ）に示すように、蒲鉾状要素（１２）が第１の方向（Ｓ１）に万線状に複数配置される。また、背景部（１１Ｂ）には、図１４（ｃ）に示すように、第１の方向（Ｓ１）と異なる第２の方向（Ｓ２）に万線状に複数配置される。図１４に示す蒲鉾状要素（１２）が配置される方向は一例であり、蒲鉾状要素（１２）が配置される第１の方向（Ｓ１）と第２の方向（Ｓ２）が異なっていれば、図１４に示す方向に限定されるものではない。以降の説明において、潜像部（１１Ａ）に配置される蒲鉾状要素（１２）と背景部（１１Ｂ）に配置される蒲鉾状要素（１２）を区別するため、潜像部（１１Ａ）に配置される蒲鉾状要素を符号「１２Ａ」とし、背景部（１１Ｂ）に配置される蒲鉾状要素を符号「１２Ｂ」として説明する。また、個別の蒲鉾状要素（１２Ａ、１２Ｂ）を指すのではなく、蒲鉾状要素全般を指す場合には、符号「１２」として説明する。
【００７１】
図１４（ｂ）及び図１４（ｃ）に示す蒲鉾状要素（１２Ａ）の幅（Ｗ１）と蒲鉾状要素（１２Ｂ）の幅（Ｗ１）は、同じ大きさで形成され、蒲鉾状要素（１２Ａ）のピッチ（Ｐ１）と、蒲鉾状要素（１２Ｂ）のピッチ（Ｐ１）もまた、同じ大きさで形成される。また、この形態においても蒲鉾状要素（１２）は、明暗フリップフロップ性又はカラーフリップフロップ性を備える必要があり、前述した明暗フリップフロップ性又はカラーフリップフロップ性を備えるインキを用いて形成する。
【００７２】
（効果）
以上の構成で成る潜像模様（１０）を備えた潜像形成媒体（１）の効果は、特許第３７１８７１２号公報と同様であり、正反射光下の特定の観察角度で観察すると、潜像部（１１Ａ）と背景部（１１Ｂ）のうち、一方の蒲鉾状要素（１２）からの正反射光が、他方の蒲鉾状要素（１２）より強いことで、明暗差が生じ、例えば、図１５（ａ）に示すように、潜像部（１１Ａ）の「星型」が明るく、背景部（１１Ｂ）が暗い潜像画像（１５）が視認される。これは、配置される方向が異なる蒲鉾状要素（１２）によって、反射光量の差が生じるためである。詳細には、蒲鉾状要素（１２）に対して平行方向に光源が位置する場合、正反射光が相対的に強く、蒲鉾状要素（１２）に対して、直行する方向に光源が位置する場合、正反射光は相対的に弱くなる。この原理により、図１５（ａ）に示す潜像画像（１５）の観察条件に対して、潜像形成媒体（１）を観察する方向を９０度変えて観察すると、図１５（ｂ）に示すように、潜像部（１１Ａ）の「星型」が暗く、背景部（１１ｂ）が明るい潜像画像（１５）視認される。
【００７３】
ここでは、蒲鉾状要素（１２）によって潜像模様（１０）が形成される構成について、特許第３７１８７１２号公報に記載の構成を例として説明したが、異なる方向に配置された蒲鉾状要素（１２）によって潜像模様（１０）を形成する技術として、特許第４３９５５８６号公報、特許第４４６１２３０号公報、特開２０１９−１０７４４号公報等に記載の構成としてもよい。
【００７４】
続いて、本発明の潜像形成媒体（１）において、特許文献２及び特許文献３に記載の潜像模様（１０）を形成した構成について説明する。なお、潜像要素群（１３）の構成については、図４、図１０、図１２及び図１４に示す構成のうち、いずれの構成でもよく、詳細な説明は省略する。また、観察補助要素（３０）の構成及び作用効果についても前述のとおりであり、説明は省略する。
【００７５】
図１６は、特許文献２に記載の蒲鉾状要素（１２）の構成を示す図であり、蒲鉾状要素（１２）は、図１６の拡大図に示すように、基材（２）の上に、樹脂を含んだ材料によって、断面が蒲鉾形状の画線又は画素（１２Ａ）が形成され、その上に、反射層（１２Ｂ）が重ねられた構成から成る。
【００７６】
蒲鉾形状の画線又は画素（１２Ａ）は、樹脂を含んだ材料によって構成される。ここでいう樹脂とは、ウレタン樹脂、アクリル樹脂、アルキド樹脂、エポキシ樹脂、ポリエステル樹脂、フェノール樹脂等の一般的な印刷インキのワニス成分にあたる、一定の光沢を有した樹脂を指す。また、蒲鉾形状の画線又は画素（１２Ａ）の上に形成される反射層（１２Ｂ）は、明暗フリップフロップ性とカラーフリップフロップ性のうち、少なくともいずれか一方を有し、光反射特性に優れた印刷皮膜であり、具体的な材料については、前述した高光沢なインキ樹脂、金属顔料を混合したインキや、パールインキ、液晶インキ及びＯＶＩ等を用いることができる。
【００７７】
以上の構成で成る蒲鉾状要素（１２）の上に潜像要素（１４）が形成されることで、潜像模様（１０）が形成され、正反射光下で観察すると反射層（１２Ｂ）と潜像要素（１４）の間にコントラストが生じ、潜像画像（１５）を視認することができる。なお、図１６に示す構成の蒲鉾状要素（１２）の効果の詳細は、特許文献２に記載されており、図３に示す構成の蒲鉾状要素（１２）と比べて蒲鉾形状の再現性が高く、表面が滑らかで高い反射性が得られることから、潜像画像（１５）の高い視認性が得られる。
【００７８】
図１７は、特許文献３に記載の反射性領域を備えた基材（２）の上に潜像模様（１０）を形成した構成を示す図である。図１７は、基材（２）の上の一部に反射層（４）が積層され、その上に潜像模様（１０）が形成された例である。この構成においては、反射層（４）が明暗フリップフロップ性とカラーフリップフロップ性のうち、少なくともいずれか一方を有し、前述した高光沢なインキ樹脂、金属顔料を混合したインキや、パールインキ、液晶インキ及びＯＶＩ等を用いて反射層（４）を形成することができる。また、金属箔、透明フィルムや金属フィルム又は金属テープを基材（２）に貼り付けて反射層（４）を設けてもよい。
【００７９】
図１７に示す構成の潜像模様（１０）は、反射層（４）の上に潜像要素群（１３）が形成され、その上に、蒲鉾状要素群（１１）が形成されて成る。潜像要素群（１３）は、正反射光下で反射層（４）と異なる色彩を備える。潜像要素群（１３）を拡散反射光下で不可視としたい場合には、下地の反射層（４）又は基材（２）の色彩と同じ色彩とするか、無色透明又は半透明に形成すればよい。また、潜像画像（１５）の視認性をより高めたい場合には、潜像要素（１４）を形成するインキに、二酸化チタンや酸化アルミのような光遮断性の高い材料を配合するとよい。また、特許文献３に記載されているように、反射層（４）の一部をレーザー加工によって除去することで、潜像要素群（１３）を形成してもよく、反射層（４）自体を潜像要素群（１３）の形状で形成してもよい。
【００８０】
蒲鉾状要素群（１１）は、光を透過する特性を有する必要があり、着色されていてもよいが少なくとも光を全て吸収する構造としてはならない。すなわち、蒲鉾状要素群（１１）は、透明あるいは半透明である必要がある。蒲鉾状要素群（１１）を形成する印刷材料として、ウレタン樹脂、アクリル樹脂、アルキド樹脂、エポキシ樹脂、ポリエステル樹脂、フェノール樹脂等の一般的な印刷インキのワニス成分を用いることができる。
【００８１】
以上の構成で成る潜像模様（１０）においても、正反射光下で潜像画像（１５）を視認する効果が得られる。なお、図１７に示す構成の潜像模様（１０）の効果の詳細は、特許文献３に記載されており、平らな反射層（４）を形成することから、従来の蒲鉾状要素を形成する場合よりも、金属顔料やパール顔料等が表面に平らに配向しやすく、正反射光下の反射性が向上し、潜像画像（１５）の高い視認性が得られる。
【００８２】
なお、本発明の潜像形成媒体（１）において、図１７に示す特許文献３に記載の構成とする場合、観察補助要素（３０）は、基材（２）の上に形成してもよく、反射層（４）の上に形成してもよい。ただし、反射層（４）の上に観察補助要素（３０）を形成する場合、正反射光下の観察で観察補助要素（３０）の光学的変化を視認するために、反射層（４）が備える反射性と、観察補助要素（３０）の反射性が異なる構成とする必要があり、具体的には、正反射光下で反射層（４）と観察補助要素（３０）の明度又は色相が異なる材料をそれぞれ用いればよい。
【００８３】
また、反射層（４）に対して、反射層（４）の光学的変化を抑え、観察補助要素（３０）のパターンを白抜きとした印刷層を積層することで、観察補助要素（３０）を形成してもよい。この印刷層としては、一般的な着色インキを用いて形成してもよく、透明又は半透明なマットなインキを用いて形成してもよい。反射層（４）の一部を白抜きとした領域は、反射層（４）が露出された状態であることから光学的変化が生じ、本発明の観察補助要素（３０）としての作用効果が得られる。
【００８４】
また、本発明の潜像形成媒体（１）において、特許文献３に記載の構成とする場合、基材（２）自体が、明暗フリップフロップ性又はカラーフリップフロップ性のうち、少なくとも一方の特性を備えてもよく、この場合、正反射光下の観察で観察補助要素（３０）の光学的変化を視認するために、基材（２）が備える反射性と、観察補助要素（３０）の反射性が異なる構成とする必要がある。
【００８５】
ここでは、特許文献２及び特許文献３に記載された構成を、本発明の潜像形成媒体（１）の潜像模様（１０）として形成する例について説明したが、本発明の潜像形成媒体（１）は、特許第６３６１９７７号公報に記載された構成で図１８に示すように、基材（２）の上に、反射層（４）、蒲鉾状要素群（１１）、潜像要素群（１３）が順に積層される構成としてもよい。この場合もまた、蒲鉾状要素群（１１）は、反射層（４）からの反射光が透過するため、光透過性を有する構造であり、図１７に示す蒲鉾状要素群（１１）と同様に、一般的な印刷インキのワニス成分を用いて形成する。なお、蒲鉾状要素群（１１）は、光を透過すれば、着色顔料が配合されたインキを用いて形成してもよい。
【００８６】
また、潜像要素群（１３）は、正反射光下の観察で潜像画像（１５）を視認するために、その下にある蒲鉾状要素群（１１）の色彩と異なる必要があり、詳細には、反射層（４）の反射光を含めた蒲鉾状要素群（１１）の色彩と異なる必要がある。以上の構成で成る潜像模様（１０）においても、正反射光下の反射性が向上し、正反射光下で潜像画像（１５）の高い視認性が得られる。なお、図１８に示す構成の潜像形成媒体（１）において観察補助要素（３０）は、段落（００７７）及び段落（００７８）で説明した構成と同様である。
【００８７】
また、潜像要素群（１３）は、特許第６３５１０１４号公報に記載された構成で図１９に示すように、蒲鉾形状の少なくとも一部の表面を備えた潜像要素群（１３）を、反射層（４）又は反射性を有する基材（２）自体に形成する構成としてもよい。具体的には、図１９（ａ）に示す複数の潜像要素（１４）から成る潜像要素群（１３）を形成する場合、図１９（ｂ）の拡大図に示すように、潜像要素（１４）自体を、蒲鉾形状で形成する。以上の構成で成る潜像模様（１０）においても、正反射光下で潜像画像（１５）を視認する効果が得られ、蒲鉾状要素と潜像要素の位置合せを要することなく、一度の加工によって作製することができる。なお、図１９に示す構成の潜像形成媒体（１）において観察補助要素（３０）は、段落（００７７）及び段落（００７８）で説明した構成と同様である。
【００８８】
また、潜像要素群の構成は、特許第６３９４９７４号公報、特許第６３６１９７８号公報及び特許第６３６９８１３号公報に記載の構成としてもよい。また、蒲鉾状要素群と潜像要素群は、特許第６０３２４２３号公報及び特許第６０９７９９７号公報に記載の曲線状の構成や特許第６４２５２１２号公報に記載の構成としてもよい。
【００８９】
以下、前述の発明を実施するための形態にしたがって、具体的に作製した潜像印刷物の実施例について詳細に説明するが、本発明はこの実施例に限定されるものではない。
【００９０】
（実施例１）
実施例１は、図２０に示す構成の潜像形成媒体（１）である。基材（２）として、白色コート紙（日本製紙株式会社製）を用い、潜像模様（１０）と観察補助要素（３０）を以下のとおり形成した。潜像模様（１０）を構成する蒲鉾状要素群（１１）は、図３に示す構成において、蒲鉾状要素の幅（Ｗ１）を４００μｍ、ピッチ（Ｐ１）を５２５μｍとし、紫外線硬化樹脂にアルミベースの金属反射顔料であるクロマシャイン（東洋アルミニウム株式会社製）を６重量％配合したインキを用いてスクリーン印刷し、ＵＶ照射して硬化させた。次に、硬化した蒲鉾状要素群（１１）の上に、紫外線硬化型インキ（ＵＶカートンＬ白  Ｔ＆Ｋ製）を用いてオフセット印刷により、図４に示す構成の潜像要素群（１３）を形成した。なお、潜像要素群（１３）は、図４に示す構成において、潜像要素の幅（Ｗ２）の最大値を３６０μｍ、ピッチ（Ｐ２）を５２５μｍとした。
【００９１】
観察補助要素（３０）は、４ｍｍ×４ｍｍの正方形とし、蒲鉾状要素群（１１）を形成するインキと同じインキを用いてスクリーン印刷し、ＵＶ照射して硬化させた。なお、観察補助要素（３０）は、潜像模様（１０）から５ｍｍ離れた位置に四つ形成した。以上の構成で成る実施例１の潜像形成媒体（１）を正反射光下で観察すると、観察補助要素（３０）の明度が上昇して、四つの正方形が明るく視認できるとともに、「花冠」の潜像画像（１５）を同時に視認することができた。
【００９２】
（実施例２）
実施例２は、図２１に示す構成の潜像形成媒体（１）であり、潜像画像（１５）と観察補助要素（３０）によって、正反射光下で一つの合成模様が視認できる潜像形成媒体（１）である。実施例２において、合成模様は、「鳳凰」の図柄であり、観察補助要素（３０）は、「鳳凰の頭部と胴体部」から成る図柄とし、潜像画像（１５）は、「羽根」の図柄とした。なお、潜像模様（１０）を構成する蒲鉾状要素群（１１）及び潜像要素群（１３）並びに観察補助要素（３０）を形成するインキについては、実施例１と同じインキを用いた。
【００９３】
図２２（ａ）は、実施例２の潜像形成媒体（１）に形成される観察補助要素（３０）の構成を示す図であり、「鳳凰の頭部と胴体部」に対応した図柄となっている。また、図２２（ｂ）は、潜像要素群（１３）の構成を示す図であり、潜像画像（１５）の「羽根」の図柄が、観察角度の変化により変化する構成となっている。なお、潜像要素群（１３）を構成する潜像要素（１４）は、図１０に示す基画像を分割した構成と同様であり、ここでは、「羽根」の図柄が異なる位置に配置された複数の基画像を、それぞれ分割した構成となっている。また、図２２（ｃ）は、蒲鉾状要素群（１１）の構成を示す図であり、潜像要素群（１３）と同じ領域で重なる構成となっている。
【００９４】
以上の構成で成る実施例２の潜像形成媒体（１）を正反射光下で観察すると、観察補助要素（３０）の明度が上昇して「鳳凰の頭部と胴体部」が明るく視認されるとともに、正反射光下で観察角度を変化させると、「羽根」の潜像画像（１５）が変化することで、鳳凰が飛んで動くように視認することができた。
【符号の説明】
【００９５】
１  潜像形成媒体
２  基材
３  潜像形成領域
４  反射層
１０  潜像模様
１１  蒲鉾状要素群
１１Ａ  潜像部
１１Ｂ  背景部
１２  蒲鉾状要素
１３  潜像要素群
１３Ａ  第１の潜像要素群
１３Ｂ  第２の潜像要素群
１４  潜像要素
１５  潜像画像
２０  基画像
３０  観察補助要素
【図１】
2020183079.tif 000003
【図２】
2020183079.tif 000004
【図３】
2020183079.tif 000005
【図４】
2020183079.tif 000006
【図５】
2020183079.tif 000007
【図６】
2020183079.tif 000008
【図７】
2020183079.tif 000009
【図８】
2020183079.tif 000010
【図９】
2020183079.tif 000011
【図１０】
2020183079.tif 000012
【図１１】
2020183079.tif 000013
【図１２】
2020183079.tif 000014
【図１３】
2020183079.tif 000015
【図１４】
2020183079.tif 000016
【図１５】
2020183079.tif 000017
【図１６】
2020183079.tif 000018
【図１７】
2020183079.tif 000019
【図１８】
2020183079.tif 000020
【図１９】
2020183079.tif 000021
【図２０】
2020183079.tif 000022
【図２１】
2020183079.tif 000023
【図２２】
2020183079.tif 000024